(57)【要約】【課題】  架設される電気設備におけるさまざまな種類の作業に対して、フレキシブルに対応することができる照明器具を提供する。【解決手段】  光を放射する光源２１を備える照明器具１において、光源２１を有する照明部２と、照明部２を両側から支持する一対の支持部３，３とを備え、各支持部３は、架空線７３に着脱される着脱部３２を端部に備えることを特徴とする。【選択図】  図１
2011108546.tif 000002
【特許請求の範囲】
【請求項１】
光を放射する光源を備える照明器具において、
光源を有する照明部と、照明部を両側から支持する一対の支持部とを備え、
各支持部は、架空線に着脱される着脱部を端部に備えることを特徴とする照明器具。
【請求項２】
照明部は、光源が取り付けられる基体部と、基体部が各支持部に支持されるべく、基体部を各支持部に接続させる第１接続部とを備え、
第１接続部は、基体部と各支持部との距離を変更可能に構成される請求項１に記載の照明器具。
【請求項３】
照明部は、基体部が回動可能となるべく、基体部を各接続部に接続させる第１接続部と、基体部が傾斜する状態で維持されるべく、基体部を各支持部に接続させる第２接続部とを備える請求項２に記載の照明器具。
【請求項４】
光源は、可撓性を有する有機ＥＬ照明であって、
基体部は、可撓性を有し且つシート状に形成される請求項２又は３に記載の照明器具。
【請求項５】
第１接続部及び第２接続部の少なくともいずれか一方は、紐状に形成され、
各支持部は、接続部を係止する係止部を備える請求項３に記載の照明器具。
【発明の詳細な説明】
【技術分野】
【０００１】
本発明は、架設される電気設備に対して作業する際に、電気設備を照らすために用いられる照明器具に関する。
【背景技術】
【０００２】
従来、例えば、夜間に、高所作業車のバケット内で架空線に対して作業する際に、架空線を照らす照明器具として、バケットに取り付けられ、バケットから架空線に向けて光を放射する光源を備える照明器具が知られている。しかしながら、斯かる照明器具だけでは、作業者側から架空線を照らすだけであり、架空線の作業箇所を好適に照らすことはできない。
【０００３】
そこで、出願人は、光を放射する光源と、架空線に着脱される着脱部とを備える照明器具を提案している（例えば、特許文献１）。斯かる照明器具によれば、前述した照明器具と併用することで、作業者側から架空線を照らすだけでなく、異なる方向からも架空線を照らすことができる。
【先行技術文献】
【特許文献】
【０００４】
【特許文献１】特開２００９−４４９３６号公報
【発明の概要】
【発明が解決しようとする課題】
【０００５】
しかしながら、特許文献１に係る照明器具においては、着脱部近傍の架空線の特定部位を照らすことしかできないため、架設される電気設備におけるさまざまな種類の作業に対して、安全な作業環境をつくれない場合も考えられる。
【０００６】
よって、本発明は、斯かる事情に鑑み、架設される電気設備におけるさまざまな種類の作業に対して、フレキシブルに対応することができる照明器具を提供することを課題とする。
【課題を解決するための手段】
【０００７】
本発明に係る照明器具は、光を放射する光源を備える照明器具において、光源を有する照明部と、照明部を両側から支持する一対の支持部とを備え、各支持部は、架空線に着脱される着脱部を端部に備えることを特徴とする。
【０００８】
本発明に係る照明器具によれば、架空線に着脱される着脱部が各支持部の端部に配設される。そして、光源を有する照明部を、一対の支持部が両側から支持する。これにより、端部の着脱部で架空線に着脱される一対の支持部間に配置される光源から、架設される電気設備に向けて光を放射することができる。
【０００９】
また、本発明に係る照明器具においては、照明部は、光源が取り付けられる基体部と、基体部が各支持部に支持されるべく、基体部を各支持部に接続させる第１接続部とを備え、第１接続部は、基体部と各支持部との距離を変更可能に構成されてもよい。
【００１０】
斯かる構成の照明器具によれば、光源が取り付けられる基体部は、第１接続部により各支持部に接続されるため、各支持部に支持される。そして、第１接続部が基体部と各支持部との距離を変更できるため、光源の位置を各支持部間でフレキシブルに対応させることができる。
【００１１】
また、本発明に係る照明器具においては、照明部は、基体部が回動可能となるべく、基体部を各接続部に接続させる第１接続部と、基体部が傾斜する状態で維持されるべく、基体部を各支持部に接続させる第２接続部とを備えてもよい。
【００１２】
斯かる構成の照明器具によれば、第１接続部が基体部を各接続部に接続させるため、基体部を回動させることができる。そして、第２接続部が基体部を各支持部に接続させるため、回動できる基体部を所定の傾斜させた状態で維持させることができる。これにより、光源が光を放射する方向をフレキシブルに対応させることができる。
【００１３】
また、本発明に係る照明器具においては、光源は、可撓性を有する有機ＥＬ照明であって、基体部は、可撓性を有し且つシート状に形成されてもよい。
【００１４】
斯かる構成の照明器具によれば、光源が可撓性を有する有機ＥＬ照明であると共に、基体部が可撓性を有し且つシート状に形成されるため、照明部が可撓性を有することになる。これにより、例えば、照明部を折り畳んだり、丸めて巻いたりすることができるため、使用していない際の大きさをコンパクトにすることができる。
【００１５】
また、本発明に係る照明器具においては、第１接続部及び第２接続部の少なくともいずれか一方は、紐状に形成され、各支持部は、接続部を係止する係止部を備えてもよい。
【００１６】
斯かる構成の照明器具によれば、第１接続部及び第２接続部の少なくともいずれか一方が紐状に形成されると共に、支持部の係止部が当該接続部を係止する。これにより、例えば、第１接続部により、基体部を回動させることができたり、また、第２接続部により、回動できる基体部を所定の傾斜させた状態で維持させることができる。
【発明の効果】
【００１７】
以上の如く、本発明に係る照明器具によれば、着脱部で架空線に着脱される一対の支持部間に配置される光源から、架設される電気設備に向けて光を放射することができるため、架設される電気設備におけるさまざまな種類の作業に対して、フレキシブルに対応することができるという優れた効果を奏する。
【図面の簡単な説明】
【００１８】
【図１】本発明の一実施形態に係る照明器具の全体図であって、斜視図を示す。
【図２】同実施形態に係る照明器具の全体図であって、正面図を示す。
【図３】同実施形態に係る照明器具の概要図であって、（ａ）は図２のＤ−Ｄ線における拡大断面図、（ｂ）は折り畳められた状態の全体斜視図を示す。
【図４】同実施形態に係る照明器具の支持部の全体図であって、（ａ）は外側面図、（ｂ）は内側面図を示す。
【図５】同実施形態に係る照明器具の支持部の要部概要図であって、（ａ）は図４のＥ領域における拡大図、（ｂ）は図４のＦ領域における拡大図を示す。
【図６】（ａ）は、本発明の他の実施形態に係る照明器具の全体正面図、（ｂ）は、本発明のさらに他の実施形態に係る照明器具の支持部の全体外側面図を示す。
【発明を実施するための形態】
【００１９】
以下、本発明に係る照明器具における一実施形態について、図１〜図５を参酌して説明する。
【００２０】
本実施形態に係る照明器具の各構成を説明するのに先立って、作業対象となる電気設備について説明する。図１に示すように、本実施形態においては、電柱７１に固定された腕金７２に架設される電線（架空線）７３，…を、作業対象の電気設備７とし、また、高所作業車８のバケット８１内にいる作業者が、絶縁操作棒（絶縁ヤットコやストレーリンクトング等）を用いて、通電している電線７３に対して間接活線作業を行う場合とする。
【００２１】
図１に示すように、本実施形態に係る照明器具１，１は、作業対象となる電線７３を両側から照らすべく、互いに対面するように一対配置されている。そして、図１〜図５に示すように、各照明器具１は、光を放射する光源２１を有する照明部２と、照明部２を両側から支持する一対の支持部３，３とを備える。また、各照明器具１は、照明部２に電源を供給すべく、一方の支持部３の下端部に連結される蓄電可能な電源部４を備える。
【００２２】
照明部２は、光源２１が取り付けられる基体部２２と、基体部２２の上端部を各支持部３に接続させる第１接続部２３，２３と、基体部２２の下端部を各支持部３に接続させる第２接続部２４，２４とを備える。また、照明部２は、耐熱性及び防水性並びに透光性を有し、光源２１を覆う被覆シート２５と、電源部４と光源２１とを接続する接続コード２６とを備える。
【００２３】
光源２１は、基体部２２と被覆シート２５とに挟まれ且つ包囲される。そして、光源２１は、基体部２２に所定の領域に広がって配置される。具体的には、光源２１は、可撓性を有し且つ平面状に形成される。本実施形態においては、光源２１は、例えばプラスチックフィルム等の可撓性を有する基板で発光層を支える有機ＥＬ照明としている。
【００２４】
基体部２２は、光源２１より大きく且つ矩形状に形成される。そして、基体部２２は、可撓性を有し且つシート状に形成される。また、基体部２２は、光源２１を電気設備７から絶縁させるべく絶縁性を有すると共に、光源２１を雨から保護すべく防水性を有し、さらに、光源２１から発生する熱に耐えるべく耐熱性を有して形成される。例えば、基体部２２は、合成樹脂（ビニル樹脂やゴム等）から形成される。
【００２５】
各第１接続部２３は、基体部２２を各支持部３に支持させる。そして、各第１接続部２３は、基体部２２が横方向を中心に回動可能となると共に、基体部２２と各支持部３との距離を変更可能となるように、基体部２２の上端部を各接続部３に接続させる。具体的には、各第１接続部２３は、紐状に形成されると共に、基端部が基体部２２の上端部に固定され、中間部が各支持部３に挿通され、さらに、先端部が支持部３に係止される。
【００２６】
各第２接続部２４は、回動できる基体部２２が所望の傾斜する状態で維持されるように、基体部２２の下端部を各支持部３に接続させる。具体的には、各第２接続部２４は、紐状に形成されると共に、基端部が基体部２２の下端部に固定され、さらに、先端部が支持部３に係止される。
【００２７】
各支持部３は、絶縁性を有し且つ長尺に形成される棒状の支持部本体３１を備える。また、各支持部３は、電線７３に着脱される着脱部３２を、支持部本体３１の上端部に備えると共に、着脱部３２が電線７３に着脱される際に、作業者に操作される操作部３３を備える。
【００２８】
そして、各支持部３は、紐状の第１接続部２３の中間部を挿通する挿通部３４と、第１接続部２３の先端部を係止する第１係止部３５と、第２接続部２４の先端部を係止する第２係止部３６とを備える。さらに、各支持部３は、降雨の際に水を切る等の機能を有する鍔部３７，３７を備える。
【００２９】
着脱部３２は、支持部本体３１に固定される鉤状の固定部３２ａと、固定部３２ａに対して変位可能な可動部３２ｂとを備え、固定部３２ａ及び可動部３２ｂが電線７３を挟持することにより、電線７３を保持可能に構成される。また、着脱部３２は、電線７３を保持する状態を維持すべく、可動部３２ｂが固定部３２ａに対して変位するのを防止するためのロック機構（作業者に操作される摘み片のみを図示している）３２ｃを備える。
【００３０】
操作部３３は、支持部本体３１の長手方向を中心に回転可能な筒状の操作部本体３３ａと、操作部本体３３ａから外方に突出し、作業者に操作される摘み片３３ｂ，３３ｂとを備える。そして、操作部３３は、操作部本体３３ａが回転することで、可動部３２ｂを固定部３２ａに対して変位可能に構成される。
【００３１】
第１係止部３５は、紐状の第１接続部２３がたすき掛け状（８字状）に巻かれて留められる留め部３５ａと、第１接続部２３の先端部に設けられる環状部２３ａを掛止するフック部３５ｂとを備える。これにより、留め部３５ａで留められる第１接続部２３の位置を変更することで、基体部２２と各支持部３との距離（離間距離）を変更できる。
【００３２】
第２係止部３６は、支持部本体３１に取り付けられる係止部本体３６ａを備える。また、第２係止部３６は、係止部本体３６ａに配置され、紐状の第２接続部２４がたすき掛け状（８字状）に巻かれて留められる複数の留め部３６ｂ，…と、第２接続部２４の先端部に設けられる環状部２４ａを掛止するフック部３６ｃ，３６ｃとを備える。
【００３３】
係止部本体３６ａは、支持部本体３１の長手方向と直交する方向に沿って配置され、複数の留め部３６ｂ，…を当該方向に沿って並べて配置している。これにより、第２接続部２４を留める留め部３６ｂの位置を変更することで、基体部２２を所望の傾斜する状態で維持できる。
【００３４】
また、係止部本体３６ａは、（図５（ｂ）のＧ矢印方向で）回動することで、支持部本体３１の長手方向と直交する方向に沿って配置される状態（図５（ｂ）において実線で図示した状態）と、支持部本体３１の長手方向に沿って配置される状態（図５（ｂ）において二点鎖線で図示した状態）とに切り替え可能に構成される。
【００３５】
以上より、本実施形態に係る照明器具１によれば、着脱部３２を端部に有する一対の支持部３，３が、光源２１を有する照明部２を両側から支持する。これにより、バケット８１に取り付けられる従来の照明器具９と併用することで、電線７３を好適に照らすことができる。
【００３６】
具体的には、バケット８１（作業者）側から電線７３に向けて（図１のＡ矢印方向）従来の照明器具９が光を放射するだけでなく、一対の支持部３，３の間から電線７３に向けて（図１のＢ及びＣ矢印方向で）本発明に係る照明器具１，１が光を放射できる。したがって、さまざまな種類の作業に対して、フレキシブルに対応することができる。
【００３７】
また、本実施形態に係る照明器具１によれば、基体部２２が紐状の第１接続部２３により各支持部３に接続されることで支持される。そして、第１係止部３５の留め部３５ａで留められる第１接続部２３の位置を変更することにより、基体部２２と各支持部２との距離を変更できるため、光源２１の位置を各支持部３，３間でフレキシブルに対応させることができる。
【００３８】
また、本実施形態に係る照明器具１によれば、紐状の第１接続部２３が各支持部３，３に挿通されることで、基体部２２が回動できる。そして、紐状の第２接続部２４が基体部２２を各支持部３に接続させる際に、第２接続部２４を留める第２係止部３６の留め部３６ｂの位置を変更することで、基体部２２を所望の傾斜する状態で維持できる。これにより、光源２１が光を放射する方向をフレキシブルに対応させることができる。
【００３９】
また、本実施形態に係る照明器具１によれば、光源２１が可撓性を有する有機ＥＬ照明であると共に、基体部２２が可撓性を有し且つシート状に形成されるため、照明部２が可撓性を有する。これにより、図３（ｂ）に示すように、照明部を丸めて巻いたり、又は、折り畳んだりすることができるため、使用していない際の大きさをコンパクトにすることができる。
【００４０】
なお、本発明に係る照明器具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４１】
例えば、上記実施形態に係る照明器具１においては、光源２１が可撓性を有する有機ＥＬ照明である場合を説明したが、斯かる場合に限られない。例えば、光源は、ガラス等の剛性を有する基板で発光層を支える有機ＥＬ照明である場合でもよく、複数の発光ダイオード（ＬＥＤ）が平面状に配置される場合でもよい。さらに、図６（ａ）に示すように、光源２１０，…は、白熱灯や蛍光灯等のスポット照明である場合でもよい。
【００４２】
また、上記実施形態に係る照明器具１においては、基体部２２が可撓性を有し且つシート状に形成される場合を説明したが、斯かる場合に限られない。例えば、基体部は、剛性を有し且つ板状に形成される場合でもよい。さらに、図６（ａ）に示すように、基体部２２０は、剛性を有し且つ長尺な柱状（筒状）に形成される場合でもよい。
【００４３】
また、上記実施形態に係る照明器具１においては、第１係止部３５の留め部３５ａで留められる紐状の第１接続部２３の位置を変更することにより、基体部２２と各支持部３との距離（離間距離）を変更する場合を説明したが、斯かる場合に限られない。例えば、基体部は、支持部と一体的となって形成されることで、支持部との距離を一定に構成される場合でもよい。
【００４４】
また、第１接続部は、伸縮可能に構成されることで、基体部と支持部との距離を変更する場合でもよい。さらに、図６（ａ）に示すように、第１接続部２３０は、基体部２２０に対して相対的に変位することで、基体部２２０と支持部３との距離を変更する場合でもよい。
【００４５】
図６（ａ）に示す照明器具１０は、第１接続部２３０により、照明部２０の各基体部２２０と各支持部３とを接続する。そして、第１接続部２３０は、一端側が支持部３に固定され、他端側が基体部２２０に対してスライド可能に構成される。斯かる構成の照明器具１０によれば、第１接続部２３０の他端側が基体部２２０に対してスライドすることにより、基体部２２０と支持部３とを接離できるため、基体部２２０と支持部３との距離を変更できる。
【００４６】
また、上記実施形態に係る照明器具１においては、基体部２２が複数の傾斜した位置から適宜選択した位置で維持できる場合を説明したが、斯かる場合に限られない。例えば、基体部は、支持部と一体的となって形成されることで、所定の位置に維持される場合でもよい。
【００４７】
また、上記実施形態に係る照明器具１においては、第１接続部２３及び第２接続部２４の双方が可撓性を有し且つ紐状に形成される場合を説明したが、斯かる場合に限られない。例えば、第１接続部及び第２接続部の少なくとも何れか一方は、剛性を有すると共に、棒状や板状に形成される場合でもよい。
【００４８】
また、上記実施形態に係る照明器具１においては、第１係止部３５及び第２係止部３６が紐状の第１接続部２３及び第２接続部２４に巻かれることで係止する場合を説明したが、斯かる場合に限られない。例えば、少なくとも何れか一方の係止部は、引っ掛けたり、挟んだりすることで、各接続部２３，２４を係止する場合でもよい。
【００４９】
また、上記実施形態に係る照明器具１においては、作業対象が架設される電線７３である場合を説明したが、斯かる場合に限られない。例えば、架設される電柱７１や腕金７２である場合でもよく、さらには、柱上変圧器や高圧カットアウト等の他の電気設備である場合でもよい。
【００５０】
また、本発明に係る照明器具においては、図６（ｂ）に示すように、支持部３０は、一対の支持部本体３１，３１と、各支持部本体３１の端部に配置される着脱部３２，３２と、一対の支持部本体３１，３１の長手方向が平行となるように各支持部本体３１，３１を連結させる連結部３８，３８を備える場合でもよい。斯かる構成の支持部３０によれば、照明部２を傾斜した状態で維持した際に、照明部２の自重により受ける力（図６（ｂ）のＪ矢印方向の力）に対しても、支持部３０が対抗できて照明部２を安定して支持できる。
【００５１】
また、本発明に係る照明器具においては、可撓性を有する基体部２２が傾斜した状態で維持された際に撓むのを防止すべく、上下方向に沿って配置される板状や棒状の剛体が横方向に複数並設される場合でもよい。斯かる構成によれば、照明部を折り畳んだり、丸めて巻いたりすることができる一方、基体部２２が傾斜した状態で維持された際に、撓むのを防止することもできる。
【符号の説明】
【００５２】
１…照明器具、２…照明部、３…支持部、２１…光源、２２…基体部、２３…第１接続部、２４…第２接続部、３２…着脱部、３５…（第１）係止部、３６…（第２）係止部、７３…架空線（電線）
【図１】
2011108546.tif 000003
【図２】
2011108546.tif 000004
【図３】
2011108546.tif 000005
【図４】
2011108546.tif 000006
【図５】
2011108546.tif 000007
【図６】
2011108546.tif 000008